(57)【要約】【課題】硬ろう付又ははんだ付で部材を接合して構成される接合型ゴルフクラブヘッドは、重心深度、慣性モーメントの点で有利であり、接合部に隙間を生じにくいため、反発性や品質の安定化の点で有利であるが、接合部からろう等が漏れることにより美観を損ねやすかった。特にキャビティーアイアンでは、背面凹部にろう等が漏れた場合、その処理は非常に困難である。【解決手段】接合部の近傍に溝又は堰状の凸部を設けることにより、接合部より漏れ出したろう又ははんだが広がることを防止する。【選択図】　　　　　図１
2004008681.tif 000002
【特許請求の範囲】
【請求項１】
硬ろう付またははんだ付にて部材を接合して構成するゴルフクラブヘッドにおいて、該接合部の近傍に溝又は堰状の凸部を設けたことを特徴とするゴルフクラブヘッド。
【請求項２】
フェース部の背面に後方部材を硬ろう付又ははんだ付にて接合したゴルフクラブヘッドであって、前記フェース部又は後方部材の少なくとも一方に溝又は堰状の凸部を設け、該溝又は堰状の凸部がフェース部と後方背面部材の接合面の近傍であることを特徴とするゴルフクラブヘッド。
【請求項３】
フェース部の接合面と後方部材の接合面の一方に凸部、他方に凹部を設けたことを特徴とする請求項２に記載のゴルフクラブヘッド。
【発明の詳細な説明】
【０００１】
【発明の属する技術分野】
本発明は２以上の部材からなり、部材の接合に硬ろう付又ははんだ付を使用したゴルフクラブヘッドに関するものであり、特にアイアンヘッドに好適な発明である。
【０００２】
【従来の技術】
従来より、複数の部材をろう付により接合し、複雑な形状や適切な質量分布を実現したゴルフクラブヘッドが知られている。ろうは流動性が大きいため、接合部の狭い空間にも入りこんで隙間が生じにくい一方、接合部から漏れだし、ゴルフクラブヘッドの美観を損ねる場合もある。
【０００３】
【発明が解決しようとする課題】
そこで、本発明は、かかるろうの漏れが拡大するのを防止し、美観に優れるゴルフクラブヘッドを提供することを課題とする。
【０００４】
【課題を解決するための手段】
本発明は２以上の部材を接合して構成されるゴルフクラブヘッドに関するものであり、具体的に
１、硬ろう付またははんだ付にて部材を接合して構成するゴルフクラブヘッドにおいて、該接合部の近傍に溝又は堰状の凸部を設けたことを特徴とするゴルフクラブヘッド、
２、フェース部の背面に後方部材を硬ろう付又ははんだ付にて接合したゴルフクラブヘッドであって、前記フェース部又は後方部材の少なくとも一方に溝又は堰状の凸部を設け、該溝又は堰状の凸部がフェース部と後方背面部材の接合面の近傍であることを特徴とするゴルフクラブヘッド、
３、フェース部の接合面と後方部材の接合面の一方に凸部、他方に凹部を設けたことを特徴とする上記２に記載のゴルフクラブヘッド、
との構成を有するものである。
【０００５】
これにより、硬ろう又ははんだを接合部全体に隙間無く行きまわらせる場合に接合部からの漏れ出してきた硬ろうまたははんだは、接合部の近傍の溝に流れ込み、又は堰状の凸部でせき止められ、その外側にまで流れ出すことがなくなる。
また、フェース部の接合面と後方部材の接合面の一方に凸部、他方に凹部を設けたため、接合時における部材同士の位置決めが容易になり、接合精度が向上するとのみならず、予め凹部に硬ろう又ははんだを入れられるので、接合部全体に均一に硬ろう又ははんだを分布させた後に接合できるため、加熱時にろう等がより均一に行き渡り、隙間の無い接合が実現できる。
【０００６】
【発明の実施の形態】
以下、本発明の発明の実施の形態を実施例を記載した添付図面を参照して説明する。図１は本願発明が適用できるヘッド構成の一例であり、ネック部とフェース部を有するヘッド本体のフェース部背面に、環状の後方部材が接合される。後方部材は、フェース部の周辺付近で接合され、フェース中央部の背面は空間になっている。これによって、質量がフェースの周辺方向に集中し、慣性モーメントが増大するほか、フェース部の打撃領域は薄肉化が可能となり、高反発化も可能となる。接合手段は、硬ろう付又ははんだ付が好適であるが、十分な接合強度を得られない場合には、ねじ止めやピン止めあるいはかしめなどを併用することもできる。
【０００７】
図２及び３は、ヘッド本体の上面図である。図２のように、接合部をヘッド本体のフェース部とネック部の境界部分までひろげると、接合部分が平面となるため、接合時にろうあるいははんだが均一に行き渡り、隙間を生じにくい。一方、図３のように接合部をフェース部の背面までにとどめた場合は、ヘッド本体のフェース部とネック部の境界部分はヘッド本体と一体成形されるため、ロフト角やライ角を狂わせる打撃時の塑性変形を防止しやすくなる。この場合に、立ちあがり部分の上部には、ろうやはんだが入りこまず、隙間を生じるおそれがあるが、立ちあがりの寸法ｄを３〜４ｍｍにすることで回避することができる。以降、図２の形状の場合について説明するが、図３の形状の場合も同様に実施可能であるので、適便選択すべきである。
【０００８】
図４は、ヘッド本体の背面図であり、斜線部が後方を接合する部分である。接合部の近傍に溝を設けるが、本実施例では接合部に隣接して設けた。溝は、幅１〜４ｍｍ、深さ０．３〜１．０ｍｍ程度で十分である。図５に、図４のＡ−Ａ線で切断したヘッド本体のトウ側より見たヒール側部分を示す。
【０００９】
ヘッド本体の成形方法は鋳造又は鍛造やプレスなどの塑性加工のいずれも可能であるが、フェース部、ネック部は大きな強度が要求されることを考慮すれば、組織欠陥、巣が生じにくい塑性加工が有利である。材料は、チタン合金、アルミ合金が強度、加工の容易性から有利である。また、接合部は後方部材との隙間を小さくし、強い接合を実現するため、切削や研削加工を加えるのも好適である。
【００１０】
図６は後方部材の正面図であり、斜線部分がヘッド本体との接合部である。図７は後方部材を図６のＢ−Ｂ線にて切断したヒール側部分をトウ側より見た図であり、斜線部が切断面である。これらの図に示す様に、後方部材の接合面の外側にヘッド本体の接合部の外形に合わせた周辺凸部２−１を設けることにより、ヘッド本体に接合する際の位置決めを容易にすることができる。本実施例では、周辺凸部のたち上がり寸法をフェース肉厚より大きくし成形しておき、ろう付前に周辺凸部に加圧し、かしめを併用した。また、後方部材の接合面内には溝２−２、穴２−３を設け、予めろう又ははんだを入れた後、ヘッド本体と組み合わせ、接合するのが好適である。本実施例では、該凹部に対応する凸部をフェース側部材の接合面に設け、接合時の位置決めの容易と共に、接合面積の増大、嵌合効果により、接合強度の向上を図っている。
【００１１】
後方部材の成形方法は鋳造又は鍛造やプレスなどの塑性加工のいずれも可能であるが、後方部材は比較的複雑な形状をしており、複雑な成形がしやすい鋳造が有利である。材料は、ステンレス鋼、軟鉄などの鉄系材料のほか、銅系材料、タングステン等も考えられるが、コスト、加工の容易性、防錆性などの点でステンレス鋼が有利である。また、ヘッド本体と同様、接合部の平面性の確保のため、接合部には切削や研削加工を加えるのも好適である。
【００１２】
ろう材が漏れるのを防止するため、接合部周辺にろう漏れ防止剤を塗布するのも好適である。本実施例の場合、ヘッド本体の接合部の内側には、ろう漏れ防止の溝を設けてあるが、それでも溝の更に内側までろうが漏れ出す場合も無いとは言えない。後方部材の内側面に沿って漏れ出す場合もある。図８の斜線部分がろう漏れ材を塗布した部分である。なお、ろう又ははんだ漏れ防止の溝の中あるいは堰状の凸部より接合面寄りにろう漏れ防止剤を塗布してはならない。本実施例の場合、後方部材には漏れ防止の溝等を設けなかったので、キャビティー内側面を構成する部分に、接合部に接するようろう漏れ防止剤を塗布する。図７に示した後方部材の例にろう漏れ防止剤を塗布した部分を図９の斜線部分で示す。図では明確ではないが、下側、トウ側の内側面にも塗布するのが好ましい。このようにすることで、接合部から漏れ出したろう又ははんだは、確実にろう又ははんだ漏れ防止の溝等からはみ出すことなく、美観を損ねることが無い。
【００１３】
接合の手順は、まずヘッド本体、後方部材にろう漏れ防止剤を塗布し、後方部材の溝２−２、穴２−３にろう材を入れる。ろう材は銀ろうが使いやすいが、接合強度の点ではＮｉろうが有利である。かしめを併用して接合する場合は、次にヘッド本体と後方部材を組み合わせて、加圧してかしめる。この段階でろう材がはみ出している場合は除去すべきである。その後、ヘッドを加熱しろう付又ははんだ付を実行する。銀ろうによるろう付の場合、真空炉で７８０°Ｃ程度に加熱するのが好ましい。ヘッド本体にチタン合金を使用した場合は、最後に時効処理を行うことにより、ヘッドの耐久性を高めることが出来る。図１０に、かしめを併用して接合した例を示す。
【００１４】
尚、本発明の後方接合アイアンヘッドは、上記した実施の形態に限定されるものではなく、本発明の要旨を逸脱しない範囲内において種々変更を加え得ることは勿論である。
【００１５】
【発明の効果】
以上、説明したように本発明の請求項１〜３記載のアイアンヘッドによれば、重心深度と慣性モーメント等の点で有利な接合型ゴルフクラブヘッドにおいて、接合部分を美しく仕上げることが可能となり、美観と打球性能共に優れたゴルフクラブヘッドを実現できる。また本発明によれば、融接等と異なり、母材への熱影響も少なく、美観と共に耐久性にも優れたゴルフクラブヘッドを実現できる。
【図面の簡単な説明】
【図１】本発明の実施例の切断図
【図２】本発明の実施例のヘッド本体の上面図
【図３】本発明の他の実施例のヘッド本体の上面図
【図４】本発明の実施例のヘッド本体の背面図
【図５】本発明の実施例のヘッド本体の切断図
【図６】本発明の実施例の後方部材の正面図
【図７】本発明の実施例の後方部材の切断図
【図８】本発明の実施例のヘッド本体にろう漏れ防止剤と塗布した場合の背面図
【図９】本発明の実施例の後方部材にろう漏れ防止剤と塗布した場合の切断図
【図１０】かしめを併用した本発明の実施例の切断図
【符号の説明】
１　　　ヘッド本体
１−１　フェース部
１−２　ネック部
１−３　接合部の近傍に設けたろう等拡大防止溝
１−４　接合面内凸部
２　　　後方部材
２−１　周辺凸部
２−２　ろう又ははんだを入れる溝
２−３　ろう又ははんだを入れる穴
３　　　ろう漏れ防止剤
【図１】
2004008681.tif 000003
【図２】
2004008681.tif 000004
【図３】
2004008681.tif 000005
【図４】
2004008681.tif 000006
【図５】
2004008681.tif 000007
【図６】
2004008681.tif 000008
【図７】
2004008681.tif 000009
【図８】
2004008681.tif 000010
【図９】
2004008681.tif 000011
【図１０】
2004008681.tif 000012